(57)【要約】【課題】  情報記録時における記録膜内でのトラック横断方向への熱の広がりを抑制するのに適した熱アシスト磁気記録方法を提供すること。【解決手段】  本発明の熱アシスト磁気記録方法は、例えば、磁気記録媒体１０の有する記録膜１２において局所的に昇温して移動する昇温領域を、記録膜１２に向けてレーザビームＬを照射して照射箇所を移動させることにより形成しつつ、当該昇温領域に記録磁界Ｍを印加することによって、情報記録を実行するための方法であり、レーザビームＬは、照射箇所の移動方向に延びた横断面形状を有する。【選択図】  図１
2006277895.tif 000002
【特許請求の範囲】
【請求項１】
磁気記録媒体の有する記録膜において局所的に昇温して移動する昇温領域を、前記記録膜に向けてレーザビームを照射して照射箇所を移動させることにより形成しつつ、当該昇温領域に記録磁界を印加することによって、情報記録を実行するための方法であって、
前記レーザビームは、前記移動の方向に延びた横断面形状を有する、熱アシスト磁気記録方法。
【請求項２】
磁気記録媒体の有する記録膜において局所的に昇温して移動する昇温領域を、前記記録膜に発熱体を対向させて相対移動させることにより形成しつつ、当該昇温領域に記録磁界を印加することによって、情報記録を実行するための方法であって、
前記発熱体は、前記移動の方向に延びた形状を有する、熱アシスト磁気記録方法。
【請求項３】
磁気記録媒体の有する記録膜において局所的に昇温して移動する昇温領域を形成しつつ当該昇温領域に記録磁界を印加することにより、情報記録を実行するための方法であって、
前記移動の方向に連なる複数の加熱スポットを前記記録膜において形成することにより、前記昇温領域を形成する、熱アシスト磁気記録方法。
【請求項４】
前記記録膜に向けて複数のレーザビームを照射して照射箇所を移動させることにより、前記複数の加熱スポットを形成する、請求項３に記載の熱アシスト磁気記録方法。
【請求項５】
前記記録膜に複数の発熱体を対向させて相対移動させることにより、前記複数の加熱スポットを形成する、請求項３に記載の熱アシスト磁気記録方法。
【請求項６】
前記移動の速さに応じて、前記複数の加熱スポットにおける複数のピーク温度を調整する、請求項３から５のいずれか一つに記載の熱アシスト磁気記録方法。
【請求項７】
前記移動が遅いほど、移動方向最前方の加熱スポットのピーク温度に対する、他の加熱スポットのピーク温度の比を小さくする、請求項６に記載の熱アシスト磁気記録方法。
【請求項８】
前記移動の速さに応じて、前記複数の加熱スポットの複数のピーク温度位置の間隔を調整する、請求項３から７のいずれか一つに記載の熱アシスト磁気記録方法。
【請求項９】
前記移動が遅いほど、前記複数の加熱スポットにおける複数のピーク温度位置の間隔を広げる、請求項８に記載の熱アシスト磁気記録方法。
【発明の詳細な説明】
【技術分野】
【０００１】
本発明は、熱アシストを伴って磁気記録媒体に対して情報記録を実行するための熱アシスト磁気記録方法に関する。
【背景技術】
【０００２】
ハードディスクなどの記憶装置を構成するための記録媒体として、磁気ディスク（磁気記録媒体）が知られている。磁気ディスクは、ディスク基板と所定の磁性構造を有する記録膜とを含む積層構造を有する。コンピュータシステムにおける情報処理量の増大に伴い、磁気ディスクについては高記録密度化の要求が高まっている。
【０００３】
磁気ディスクへの情報記録に際しては、磁気ディスクの記録面（記録膜により構成される）に対して記録用の磁気ヘッドが近接配置され、当該磁気ヘッドにより、記録膜に対し、その保磁力より強い記録磁界が印加される。磁気ディスクに対して磁気ヘッドを相対移動させつつ磁気ヘッドからの記録磁界の向きを順次反転させることにより、記録膜において、磁化方向が順次反転する複数の記録マーク（磁区）が磁気ディスクの周方向ないしトラック延び方向に連なって形成される。このとき、記録磁界の方向を反転させるタイミングが制御されることにより、各々に所定の長さで記録マークが形成される。このようにして、記録膜において、磁化方向の変化として所定の信号ないし情報が記録される。
【０００４】
磁気ディスクの技術分野においては、記録膜の保磁力が高いほど、記録膜に形成される磁区の熱安定性が高く、微小ないし幅狭で安定した磁区を形成しやすいことが、知られている。記録膜にて安定に形成され得る最小の磁区が微小であるほど、磁気ディスクにおいて、より大きな記録密度を得ることが可能である。
【０００５】
磁気ディスクへの情報記録においては、上述のように、記録膜の保磁力より強い記録磁界を印加しなければ適切に記録マークを形成することができない。そのため、記録膜について設定される保磁力の増大に伴い、磁気ヘッドにより印加すべき記録磁界の強度を増大することが考えられる。しかしながら、磁気ヘッドにより印加できる記録磁界の強度については、例えば磁気ヘッドの構造や消費電力の観点から、制約を受ける。
【０００６】
そこで、磁気ディスクへの情報記録においては、いわゆる熱アシスト磁気記録方式が採用される場合がある。熱アシスト磁気記録方式で磁気ディスクに情報記録が実行される場合、例えば、回転する磁気ディスクの記録面に近接配置される所定の光学ヘッドからのレーザビーム照射により、記録面上を移動する略真円形の照射スポットが記録面上に形成され、磁気ディスクの記録膜が局所的に順次加熱される。記録膜において加熱により昇温した領域では、その周囲の非昇温領域よりも保磁力が低下する。そして、磁気ディスクの記録面に近接配置される磁気ヘッドにより、記録膜の昇温領域の保磁力より強い記録磁界が当該昇温領域に印加され、当該昇温領域の一部が所定方向に磁化される。この磁化は、当該磁化箇所の冷却の過程で定着することとなる。熱アシスト磁気記録方式では、このようにして、磁化方向が順次反転し且つ記録信号に応じた所定の長さを各々が有する複数の磁区（記録マーク）が、ディスク周方向に延びるトラックに沿って形成される。熱アシスト磁気記録方式の磁気ディスクにおいては、記録膜にて加熱により保磁力が低下された箇所に対する記録磁界印加により情報記録が実行されるため、情報保持時や情報再生時の常温での記録膜の保磁力を高く設定する場合であっても、磁気ヘッドにより印加すべき記録磁界の強度を過度に増大する必要はない。このような熱アシスト磁気ディスクについては、例えば下記の特許文献１や特許文献２に記載されている。
【０００７】
【特許文献１】特開平６−２４３５２７号公報
【特許文献２】特開２００３−１５７５０２号公報
【発明の開示】
【発明が解決しようとする課題】
【０００８】
従来の熱アシスト磁気記録方法では、上述のように、レーザビーム照射により、記録面上を移動する略真円形の照射スポットが記録面上に形成され、磁気ディスクの記録膜が局所的に順次加熱される。記録膜における記録予定箇所がこのように加熱されると、当該記録予定箇所とともにその周囲も有意に昇温する。一方、熱アシスト磁気ディスクにおいては、高記録密度化の観点からは記録膜の保磁力は高い方が好ましく、記録膜の保磁力が高いほど、情報記録時に際し、記録膜に対する加熱の程度を強くする必要がある。しかしながら、従来の熱アシスト磁気記録方法では、情報記録時に、加熱の程度が強すぎて記録膜における所定温度以上の昇温範囲が広すぎると、記録マークが順次形成されているトラックの隣りのトラックまで記録マーク幅が不当に広がることなどにより、当該隣りのトラックの記録マークが消失ないし劣化するという、クロスライト現象が生じやすい。クロスライト現象は、トラックの狭ピッチ化を阻害するので、磁気ディスクの高記録密度化の観点からは好ましくない。このように、従来の熱アシスト磁気ディスク（熱アシスト磁気記録媒体）は、記録密度を高めるうえで困難性を有する。
【０００９】
本発明は、以上のような事情の下で考え出されたものであって、情報記録時における記録膜内でのトラック横断方向への熱の広がりを抑制するのに適した熱アシスト磁気記録方法を提供することを、目的とする。
【課題を解決するための手段】
【００１０】
本発明の第１の側面により提供される熱アシスト磁気記録方法は、磁気記録媒体の有する記録膜において局所的に昇温して移動する昇温領域を、記録膜に向けてレーザビームを照射して照射箇所を移動させることにより形成しつつ、当該昇温領域に記録磁界を印加することによって、情報記録を実行するための方法である。本方法において、レーザビームは、照射箇所ないし昇温領域の移動方向（トラック延び方向）に延びた横断面形状を有する。
【００１１】
このような構成の熱アシスト磁気記録方法では、レーザビーム照射により記録膜において形成される昇温領域（熱アシスト磁気記録方式にとって有意に高い所定温度の等温線により囲まれた領域）は、当該昇温領域の移動方向に延びた形状、即ちトラック延び方向に長い形状を、有する。一方、熱アシスト磁気記録方法では、一般に、記録膜に構成されるトラックにおいて昇温され且つ記録磁界印加を受けて一の記録マークが形成される箇所の最高到達温度は、所定の微小時間あたりに当該箇所に供給される昇温エネルギの総量に主に依存して決定される。昇温領域がその移動方向に延びた形状に形成される本方法は、記録膜において記録マークを形成すべき箇所に対して充分量の昇温エネルギ（本方法ではレーザビームに由来する）を供給しつつ、トラック横断方向における熱の広がりを抑制するうえで、好適なのである。このような熱アシスト磁気記録方法は、クロスライト現象の発生を防止または抑制してトラックの狭ピッチ化ないし高記録密度化を図るうえで、好適である。
【００１２】
本発明の第２の側面により提供される熱アシスト磁気記録方法は、磁気記録媒体の有する記録膜において局所的に昇温して移動する昇温領域を、記録膜に発熱体を対向させて相対移動させることにより形成しつつ、当該昇温領域に記録磁界を印加することによって、情報記録を実行するための方法である。本方法においては、発熱体は、当該発熱体ないし昇温領域の移動の方向（トラック延び方向）に延びた形状を有する。
【００１３】
このような構成の熱アシスト磁気記録方法では、記録膜に対向する発熱体からの熱線により記録膜において形成される昇温領域は、当該昇温領域の移動方向に延びた形状、即ちトラック延び方向に長い形状を、有する。一方、上述のように、熱アシスト磁気記録の記録膜における記録マーク形成予定箇所の最高到達温度は、所定の微小時間あたりに当該箇所に供給される昇温エネルギの総量に主に依存して決定される。昇温領域がその移動方向に延びた形状に形成される本方法は、記録膜において記録マークを形成すべき箇所に対して充分量の昇温エネルギ（本方法では発熱体に由来する）を供給しつつ、トラック横断方向における熱の広がりを抑制するうえで、好適なのである。このような熱アシスト磁気記録方法は、クロスライト現象の発生を防止または抑制してトラックの狭ピッチ化ないし高記録密度化を図るうえで、好適である。
【００１４】
本発明の第３の側面により提供される熱アシスト磁気記録方法は、磁気記録媒体の有する記録膜において局所的に昇温して移動する昇温領域を形成しつつ当該昇温領域に記録磁界を印加することにより、情報記録を実行するための方法である。本方法においては、昇温領域の移動の方向に連なる複数の加熱スポットを記録膜において形成することにより、昇温領域を形成する。すなわち、本方法においては、昇温領域は、その移動方向（トラック延び方向）に連なる複数の加熱スポットからなる。
【００１５】
このような構成の熱アシスト磁気記録方法では、連なる複数の加熱スポットからなる合成加熱スポットである昇温領域は、当該昇温領域の移動方向に延びた形状、即ちトラック延び方向に長い形状を、有し得る。一方、上述のように、熱アシスト磁気記録の記録膜における記録マーク形成予定箇所の最高到達温度は、所定の微小時間あたりに当該箇所に供給される昇温エネルギの総量に主に依存して決定される。昇温領域がその移動方向に延びた形状に形成され得る本方法は、記録マークを形成すべき箇所に対して充分量の昇温エネルギを供給しつつ、トラック横断方向における熱の広がりを抑制するうえで、好適なのである。このような熱アシスト磁気記録方法は、クロスライト現象の発生を防止または抑制してトラックの狭ピッチ化ないし高記録密度化を図るうえで、好適である。
【００１６】
本発明の第３の側面において、好ましくは、記録膜に対して複数のレーザビームを照射して照射箇所を移動させることにより、複数の加熱スポットを形成する。或は、記録膜に複数の発熱体を対向させて相対移動させることにより、複数の加熱スポットを形成してもよい。これらの手法によると、所定方向に連なる複数の加熱スポットからなる昇温領域を適切に形成することができる。
【００１７】
本発明の第３の側面において、好ましくは、記録膜における昇温領域の移動の速さに応じて、複数の加熱スポットにおける複数のピーク温度を調整する。例えば、昇温領域の移動が遅いほど、移動方向最前方の加熱スポットのピーク温度に対する、他の加熱スポットのピーク温度の比を小さくする。磁気記録媒体が回転した状態で実行される熱アシスト磁気記録方法においては、複数のピーク温度についてのこのような調整は、記録実行中のトラックに単位時間あたりに供給される昇温エネルギ量を、当該トラックの媒体回転中心からの距離に関わらず均一化するうえで、好適な場合がある。
【００１８】
本発明の第３の側面において、好ましくは、記録膜における昇温領域の移動の速さに応じて、複数の加熱スポットの複数のピーク温度位置の間隔を調整する。例えば、昇温領域の移動が遅いほど、複数の加熱スポットにおける複数のピーク温度位置の間隔を広げる。磁気記録媒体が回転した状態で実行される熱アシスト磁気記録方法においては、複数のピーク温度位置の間隔についてのこのような調整は、記録実行中のトラックに単位時間あたりに供給される昇温エネルギ量を、当該トラックの媒体回転中心からの距離に関わらず均一化するうえで、好適な場合がある。
【発明を実施するための最良の形態】
【００１９】
図１は、本発明の第１の実施形態に係る熱アシスト磁気記録方法を実施するための磁気ディスク装置Ｘ１の一部の構成を表す。磁気ディスク装置Ｘ１は、磁気ディスク１０、磁気ヘッド２０、光学ヘッド３０、および複合素子４０を備え、熱アシスト磁気記録方式での情報記録と情報再生とを磁気ディスク１０について実行することができるように構成されている。
【００２０】
磁気ディスク１０は、ディスク基板１１、記録膜１２、および保護膜１３を含む積層構造を有し、熱アシスト磁気記録方式の磁気記録媒体として構成されたものである。ディスク基板１１は、主に、磁気ディスク１０の剛性を確保するための部位であり、例えば、アルミニウム合金基板、ガラス基板、または樹脂基板である。記録膜１２は、垂直磁化膜または面内磁化膜よりなり、磁気ディスク１０において情報が記録される記録面を構成する。このような記録膜１２は、例えば、Ｃｏ合金、Ｆｅ合金、または希土類遷移金属アモルファス合金よりなる。Ｃｏ合金としてはＣｏＣｒ合金が挙げられる。Ｆｅ合金としてはＦｅＰｔ合金が挙げられる。希土類遷移金属アモルファス合金としてはＴｂＦｅＣｏ合金が挙げられる。保護膜１３は、記録膜１２を外界から物理的および化学的に保護するための部位であり、例えば、ＳｉＮ、ＳｉＯ2、またはダイアモンドライクカーボンよりなる。磁気ディスク１０の積層構造中には、必要に応じて他の膜が含まれてもよい。このような磁気ディスク１０は、図外のスピンドルモータに支持され、当該スピンドルモータが回転駆動することによって回転動作し得る。
【００２１】
磁気ヘッド２０は、スライダボディ２１、記録素子２２、および再生素子２３を有し、磁気ディスク装置Ｘ１による情報記録および情報再生の実行時には、磁気ディスク１０の記録膜１２に対向して配置される。スライダボディ２１は、回転動作中の磁気ディスク１０において磁気ヘッド２０に対向する箇所の線速度が所定以上であるときに、磁気ディスク１０と磁気ヘッド２０との間に気体潤滑膜を生じさせるための所定の形状を有する。記録素子２２は、記録膜１２に対して所定の記録磁界Ｍを印加するためのものであり、磁界発生用の電流を流すためのコイルと、発生磁界を強い磁界に変換するための磁極とからなる。記録素子２２による印加磁界強度および磁界印加タイミングは、図外の制御部からの所定の制御信号に基づいて制御される。再生素子２３は、記録膜１２の磁化状態に由来する磁気信号を検知して電気信号に変換するためのものであり、例えばＧＭＲ素子やＭＲ素子により構成されている。このような磁気ヘッド２０は、例えば板バネ状の図外のサスペンションアームを介して、例えばボイスコイルモータにより構成される図外の磁気ヘッド用アクチュエータに連結されている。サスペンションアームは、磁気ヘッド２０に対し、磁気ディスク１０に向けて付勢力を作用させるためのものである。
【００２２】
光学ヘッド３０は、光ピックアップ型のヘッドとして構成されたものであり、集光レンズ３１、レンズアクチュエータ３２、マスク３３、およびミラー３４を有する。光学ヘッド３０の内部には、図外の光源（例えば半導体レーザダイオード）からのレーザビームＬが通過可能な導光路が確保されている。図の簡潔化の観点より、本実施形態におけるレーザビームＬについては、その断面中心軸を一点鎖線で模式的に表す。集光レンズ３１は、レーザビームＬを集束させて磁気ディスク１０に照射するためのものである。レンズアクチュエータ３２は、集光レンズ３１を通過することにより集光されるレーザビームについて焦点調整すべく、例えば電磁的な駆動力により図中上下方向に集光レンズ３１を位置制御するためのものである。レンズアクチュエータ３２の駆動は、図外の制御部からの所定の制御信号に基づいて制御される。マスク３３は、磁気ディスク１０表面に形成されるレーザビーム照射スポットについてスポット径などを調整するためのものである。ミラー３４は、図外の光源から出射されて所定の経路を経たレーザビームＬを光学ヘッド３０内にて集光レンズ３１へと反射するためのものである。このような光学ヘッド３０は、図外の光学ヘッド用アクチュエータにより、磁気ディスク１０の径方向に延びる図外のガイドレールに沿って並進駆動可能に設けられている。
【００２３】
複合素子４０は、複数の屈折率の異なるプリズムなどからなり、図外の光源から出射されて図外のコリメートレンズを通過したレーザビームＬの横断面形状を、複合素子４０に対するレーザビームＬの入射角を傾けることにより例えば真円形に整形するためのものであり、また、偏光ビームスプリッタとして、レーザビームＬを分離するためのものである。分離されたレーザビームＬの一方は、上述の光学ヘッド３０へと導かれ、他方は、レーザビームＬの光の強度を監視してフィードバッグ制御するために設けられる図外の受光部へと導かれる。
【００２４】
本発明の第１の実施形態に係る熱アシスト磁気記録方法により、磁気ディスク装置Ｘ１にて磁気ディスク１０に対して情報記録を実行する際には、磁気ディスク１０を所定の一定速度で回転させた状態で、磁気ディスク１０に対して磁気ヘッド２０を浮上配置させつつ磁気ヘッド用アクチュエータにより磁気ヘッド２０を情報記録実行位置に位置決め制御し、且つ、光学ヘッド用アクチュエータにより光学ヘッド３０を情報記録実行位置に位置決め制御する。回転動作中の磁気ディスク１０に対する磁気ヘッド２０および光学ヘッド３０の相対移動方向を矢印Ｄで表す。
【００２５】
本熱アシスト磁気記録方法においては、光学ヘッド３０の集光レンズ３１を通過して集束された所定パワーのレーザビームＬを磁気ディスク１０の記録膜１２に向けて照射し続ける。本実施形態では、レーザビームＬの横断面形状は、図２に示すように矢印Ｄ方向（実質的にディスク周方向またはトラック延び方向）に延びた楕円であり、従って、レーザビーム照射により記録膜１２において形成される昇温領域（熱アシスト磁気記録方式にとって有意に高い所定温度の等温線により囲まれた領域）は矢印Ｄ方向に長い。図３は、本実施形態においてレーザビーム照射により記録膜１２に生ずる温度分布の一例を表す。図３では、内側の扁平円ほど高温の等温線である。上述のマスク３３として、図４に示すような楕円開口部３３ａを有するマスクを採用すると、レーザビームＬの横断面形状を矢印Ｄ方向に延びた形状（楕円）とすることが可能である。また、上述の複合素子４０として、所定の縦横比の楕円にレーザビーム横断面を整形するための所定角度の入射面を有する複合素子を採用し、その入射面に応じた所定の角度で当該複合素子にレーザビームＬを入射すると、レーザビームＬの横断面形状を矢印Ｄ方向に延びた形状（楕円）とすることが可能である。
【００２６】
本熱アシスト磁気記録方法においては、記録膜１２の上述のような局所的昇温とともに、磁気ヘッド２０に搭載されている記録素子２２により、記録膜１２における昇温領域に対して記録磁界Ｍを印加する。また、記録素子２２の生ずる記録磁界Ｍの向きを順次反転させることにより、記録膜１２において、磁化方向が順次反転する複数の磁区（記録マーク）を磁気ディスク１０の周方向ないしトラック延び方向に連ねて形成する。このとき、記録磁界Ｍの方向を反転させるタイミングを制御することにより、各々に所定の長さで記録マークを形成する。
【００２７】
本熱アシスト磁気記録方法においては、以上のようにして、磁気ディスク１０の有する記録膜１２において局所的に昇温して移動する昇温領域を、記録膜１２に向けてレーザビームＬを照射して照射箇所を移動させることにより形成しつつ、当該昇温領域に記録磁界Ｍを印加することによって、情報記録を実行する。
【００２８】
本熱アシスト磁気記録方法では、レーザビーム照射により記録膜１２において形成される昇温領域は、矢印Ｄ方向（昇温領域移動方向）に延びた形状、即ちトラック延び方向に長い形状を、有する。一方、熱アシスト磁気記録方法では、一般に、記録膜に構成されるトラックにおいて昇温され且つ記録磁界印加を受けて一の記録マークが形成される箇所の最高到達温度は、所定の微小時間あたりに当該箇所に供給される昇温エネルギの総量に主に依存して決定される。昇温領域がその移動方向に延びた形状に形成される本方法は、記録膜１２において記録マークを形成すべき箇所に対して充分量の昇温エネルギ（本方法ではレーザビームＬに由来する）を供給しつつ、トラック横断方向における熱の広がりを抑制するうえで、好適なのである。このような熱アシスト磁気記録方法は、クロスライト現象の発生を防止または抑制してトラックの狭ピッチ化ないし高記録密度化を図るうえで、好適である。
【００２９】
図５は、本発明の第２の実施形態に係る熱アシスト磁気記録方法を実施するための磁気ディスク装置Ｘ２の一部の構成を表す。磁気ディスク装置Ｘ２は、磁気ディスク１０および記録再生ヘッド５０を備え、熱アシスト磁気記録方式での情報記録と情報再生とを磁気ディスク１０について実行することができるように構成されている。
【００３０】
磁気ディスク１０は、ディスク基板１１、記録膜１２、および保護膜１３を含む積層構造を有し、熱アシスト磁気記録方式の磁気記録媒体として構成されたものである。磁気ディスク１０の具体的構成は、第１の実施形態において上述したのと同一である。
【００３１】
記録再生ヘッド５０は、スライダボディ５１、発熱素子５２、記録素子５３、および再生素子５４を有し、磁気ディスク装置Ｘ２による情報記録および情報再生の実行時には、磁気ディスク１０の記録膜１２に対向して配置される。スライダボディ５１は、回転動作中の磁気ディスク１０において記録再生ヘッド５０に対向する箇所の線速度が所定以上であるときに、磁気ディスク１０と記録再生ヘッド５０との間に気体潤滑膜を生じさせるための所定の形状を有する。発熱素子５２は、熱アシスト磁気記録方式における媒体加熱手段であり、通電により発熱可能な抵抗体である。発熱素子５２の発熱温度は、図外の制御部により制御可能である。発熱素子５２は、スライダボディ５１における媒体対向面に配設されており、図６に示すように、後述の矢印Ｄの方向に延びた形状を有する。図６は、記録再生ヘッド５０における磁気ディスク１０の側の平面図である。記録素子５３は、記録膜１２に対して所定の記録磁界Ｍを印加するためのものであり、再生素子５４は、記録膜１２の磁化状態に由来する磁気信号を検知して電気信号に変換するためのものである。記録素子５３および再生素子５４の具体的構成は、第１の実施形態における記録素子２２および再生素子２３の具体的構成と同様である。発熱素子５２、記録素子５３、および再生素子５４は、磁気ディスク１０の回転方向ないし周方向に相当する方向に例えば図６に示すように沿って一列に配されている。このような記録再生ヘッド５０は、例えば板バネ状の図外のサスペンションアームを介して、例えばボイスコイルモータにより構成される図外の記録再生ヘッド用アクチュエータに連結されている。サスペンションアームは、記録再生ヘッド５０に対し、磁気ディスク１０に向けて付勢力を作用させるためのものである。
【００３２】
本発明の第２の実施形態に係る熱アシスト磁気記録方法により、磁気ディスク装置Ｘ２にて磁気ディスク１０に対して情報記録を実行する際には、磁気ディスク１０を所定の一定速度で回転させた状態で、磁気ディスク１０に対して記録再生ヘッド５０を浮上配置させつつ記録再生ヘッド用アクチュエータにより記録再生ヘッド５０を情報記録実行位置に位置決め制御する。回転する磁気ディスク１０に対する記録再生ヘッド５０の相対移動方向を矢印Ｄで表す。
【００３３】
本熱アシスト磁気記録方法においては、記録再生ヘッド５０の発熱素子５２を記録膜１２に対向させた状態で当該発熱素子５２を所定の温度で発熱させ続ける。本実施形態では、発熱素子５２は、図６に示すように矢印Ｄ方向（実質的にディスク周方向またはトラック延び方向）に延びた形状を有し、従って、発熱素子５２からの熱線により記録膜１２において形成される昇温領域は、図３を参照して上述した昇温領域と同様に、矢印Ｄ方向に長い。
【００３４】
本熱アシスト磁気記録方法においては、記録膜１２の上述のような局所的昇温とともに、記録再生ヘッド５０に搭載されている記録素子５３により、記録膜１２における昇温領域に対して記録磁界Ｍを印加する。また、記録素子５３の生ずる記録磁界Ｍの向きを順次反転させることにより、記録膜１２において、磁化方向が順次反転する複数の磁区（記録マーク）を磁気ディスク１０の周方向ないしトラック延び方向に連ねて形成する。このとき、記録磁界Ｍの方向を反転させるタイミングを制御することにより、各々に所定の長さで記録マークを形成する。
【００３５】
本熱アシスト磁気記録方法においては、以上のようにして、磁気ディスク１０の有する記録膜１２において局所的に昇温して移動する昇温領域を、記録膜１２に発熱素子５２を対向させて相対移動させることにより形成しつつ、当該昇温領域に記録磁界Ｍを印加することによって、情報記録を実行する。
【００３６】
本熱アシスト磁気記録方法においては、記録膜１２に対向する発熱素子５２からの熱線により記録膜１２において形成される昇温領域は、矢印Ｄ方向（昇温領域移動方向）に延びた形状、即ちトラック延び方向に長い形状を、有する。一方、上述のように、熱アシスト磁気記録における記録マーク形成予定箇所の最高到達温度は、所定の微小時間あたりに当該箇所に供給される昇温エネルギの総量に主に依存して決定される。昇温領域がその移動方向に延びた形状に形成される本方法によると、記録膜１２において記録マークを形成すべき箇所に対して充分量の昇温エネルギ（本方法では、発熱素子５２からの熱線に由来する）を供給しつつ、トラック横断方向における熱の広がりを抑制することが可能なのである。このような熱アシスト磁気記録方法は、クロスライト現象の発生を防止または抑制してトラックの狭ピッチ化ないし高記録密度化を図るうえで、好適である。
【００３７】
図７は、本発明の第３の実施形態に係る熱アシスト磁気記録方法を実施するための磁気ディスク装置Ｘ３の一部の構成を表す。磁気ディスク装置Ｘ３は、磁気ディスク１０および記録再生ヘッド６０を備え、熱アシスト磁気記録方式での情報記録と情報再生とを磁気ディスク１０について実行することができるように構成されている。
【００３８】
磁気ディスク１０は、ディスク基板１１、記録膜１２、および保護膜１３を含む積層構造を有し、熱アシスト磁気記録方式の磁気記録媒体として構成されたものである。磁気ディスク１０の具体的構成は、第１の実施形態において上述したのと同一である。
【００３９】
記録再生ヘッド６０は、スライダボディ６１、レーザ素子６２Ａ，６２Ｂ、記録素子６３、および再生素子６４を有し、磁気ディスク装置Ｘ３による情報記録および情報再生の実行時には、磁気ディスク１０の記録膜１２に対向して配置される。スライダボディ６１は、回転動作中の磁気ディスク１０において記録再生ヘッド６０に対向する箇所の線速度が所定以上であるときに、磁気ディスク１０と記録再生ヘッド６０との間に気体潤滑膜を生じさせるための所定の形状を有する。レーザ素子６２Ａ，６２Ｂは、各々、熱アシスト磁気記録方式における媒体加熱手段であり、電圧印加時にレーザビームＬを出射可能な半導体レーザ素子（光源）と、当該素子からのレーザビームＬを記録再生ヘッド６０外へ導くためのいわゆる光導波路とを含んでなる。また、レーザ素子６２Ａ，６２Ｂは、スライダボディ６１における媒体対向面側からレーザビームＬが出射され、且つ、当該二本のレーザビームＬが磁気ディスク１０の表面にて重なり得るように、構成されている。図の簡潔化の観点より、本実施形態におけるレーザビームＬについては、その断面中心軸を破線で模式的に表す。レーザ素子６２Ａ，６２Ｂから出射されるレーザビームＬのパワーは図外の制御部により個々に制御可能である。記録素子６３は、記録膜１２に対して所定の記録磁界Ｍを印加するためのものであり、再生素子６４は、記録膜１２の磁化状態に由来する磁気信号を検知して電気信号に変換するためのものである。記録素子６３および再生素子６４の具体的構成は、第１の実施形態における記録素子２２および再生素子２３の具体的構成と同様である。レーザ素子６２Ａ，６２Ｂ、記録素子６３、および再生素子６４は、磁気ディスク１０の回転方向ないし周方向に相当する方向に沿って一列に配されている。このような記録再生ヘッド６０は、例えば板バネ状の図外のサスペンションアームを介して、例えばボイスコイルモータにより構成される図外の記録再生ヘッド用アクチュエータに連結されている。サスペンションアームは、記録再生ヘッド６０に対し、磁気ディスク１０に向けて付勢力を作用させるためのものである。
【００４０】
本発明の第３の実施形態に係る熱アシスト磁気記録方法により、磁気ディスク装置Ｘ３にて磁気ディスク１０に対して情報記録を実行する際には、磁気ディスク１０を所定の一定速度で回転させた状態で、磁気ディスク１０に対して記録再生ヘッド６０を浮上配置させつつ記録再生ヘッド用アクチュエータにより記録再生ヘッド６０を情報記録実行位置に位置決め制御する。回転する磁気ディスク１０に対する記録再生ヘッド６０の相対移動方向を矢印Ｄで表す。
【００４１】
本熱アシスト磁気記録方法においては、レーザ素子６２Ａ，６２Ｂから出射される二本のレーザビームＬを磁気ディスク１０の記録膜１２に向けて照射し続ける。本実施形態では、二本のレーザビームＬは、磁気ディスク１０ないし保護膜１３の表面にて重なり合い、図８（ａ）に示すように、保護膜１３上にて矢印Ｄ方向（実質的にディスク周方向またはトラック延び方向）に連なる２つの照射スポットＳ１’，Ｓ２’を形成する。これら照射スポットＳ１’，Ｓ２’に対応して、記録膜１２の所定箇所には、例えば図８（ｂ）のグラフに示すような温度分布を有する二つの加熱スポットＳ１，Ｓ２が形成される。図８（ｂ）のグラフでは、横軸は磁気ディスク１０の周方向の位置を表し、縦軸は温度を表す。また、図８（ｂ）のグラフでは、仮に照射スポットＳ２’したがって加熱スポットＳ２が形成されないとする場合に記録膜１２に形成される加熱スポットＳ１の温度分布を一点鎖線で表し、仮に照射スポットＳ１’したがって加熱スポットＳ１が形成されないとする場合に記録膜１２に形成される加熱スポットＳ２の温度分布を二点鎖線で表し、これら加熱スポットＳ１，Ｓ２からなる昇温領域Ｓ３の温度分布を実線で表す。
【００４２】
本熱アシスト磁気記録方法においては、記録膜１２の上述のような局所的昇温とともに、記録再生ヘッド６０に搭載されている記録素子６３により、記録膜１２における昇温領域Ｓ３に対して記録磁界Ｍを印加する。また、記録素子６３の生ずる記録磁界Ｍの向きを順次反転させることにより、記録膜１２において、磁化方向が順次反転する複数の磁区（記録マーク）を磁気ディスク１０の周方向ないしトラック延び方向に連ねて形成する。このとき、記録磁界Ｍの方向を反転させるタイミングを制御することにより、各々に所定の長さで記録マークを形成する。
【００４３】
本熱アシスト磁気記録方法においては、以上のようにして、磁気ディスク１０の有する記録膜１２において局所的に昇温して移動する昇温領域Ｓ３を形成しつつ当該昇温領域Ｓ３に記録磁界Ｍを印加することにより、情報記録を実行する。
【００４４】
本熱アシスト磁気記録方法においては、連なる２つの加熱スポットＳ１，Ｓ２からなる昇温領域Ｓ３は、矢印Ｄ方向（昇温領域移動方向）に延びた形状、即ちトラック延び方向に長い形状を、有する。一方、上述のように、熱アシスト磁気記録の記録膜における記録マーク形成予定箇所の最高到達温度は、所定の微小時間あたりに当該箇所に供給される昇温エネルギの総量に主に依存して決定される。移動方向に延びた形状の昇温領域Ｓ３が形成される本方法によると、記録膜１２において記録マークを形成すべき箇所に対して充分量の昇温エネルギを供給しつつ、トラック横断方向における熱の広がりを抑制することが可能なのである。このような熱アシスト磁気記録方法は、クロスライト現象の発生を防止または抑制してトラックの狭ピッチ化ないし高記録密度化を図るうえで、好適である。
【００４５】
本熱アシスト磁気記録方法では、昇温領域Ｓ３の移動の速さに応じて、加熱スポットＳ１，Ｓ２における図８（ｂ）に示すピーク温度Ｐ1，Ｐ2を調整してもよい。本熱アシスト磁気記録方法では、記録膜１２において情報記録が実行される箇所のディスク径方向位置に関わらずディスク回転速度を一定とし且つ照射レーザビームＬのパワーを一定とする場合には、記録実行中のトラックが内周側であるほど、昇温領域Ｓ３の移動は遅い。この場合には、記録実行中のトラックが内周側であるほど（従って、昇温領域Ｓ３の移動が遅いほど）、両加熱スポットＳ１，Ｓ２のピーク温度Ｐ1，Ｐ2が共に低くなり、且つ、移動方向最前方の加熱スポットＳ１のピーク温度Ｐ1に対する他の加熱スポットＳ２のピーク温度Ｐ2の比が小さくなるように、レーザ素子６２Ａ，６２Ｂに由来する各レーザビームＬのパワーを制御するのがよい。ピーク温度Ｐ1，Ｐ2の変化の一例を図８（ｂ）にて下向き矢印で示す。昇温領域Ｓ３を構成する加熱スポットＳ１，Ｓ２のピーク温度Ｐ1，Ｐ2についてのこのような調整により、記録実行中のトラックのディスク径方向位置に関わらず、単位時間あたりにトラックに供給される昇温エネルギ量を均一化することが可能となる。
【００４６】
図９は、本発明の第４の実施形態に係る熱アシスト磁気記録方法を実施するための磁気ディスク装置Ｘ４の一部の構成を表す。磁気ディスク装置Ｘ４は、磁気ディスク１０および記録再生ヘッド７０を備え、熱アシスト磁気記録方式での情報記録と情報再生とを磁気ディスク１０について実行することができるように構成されている。
【００４７】
磁気ディスク１０は、ディスク基板１１、記録膜１２、および保護膜１３を含む積層構造を有し、熱アシスト磁気記録方式の磁気記録媒体として構成されたものである。磁気ディスク１０の具体的構成は、第１の実施形態において上述したのと同一である。
【００４８】
記録再生ヘッド７０は、スライダボディ７１、発熱素子７２Ａ，７２Ｂ、記録素子７３、および再生素子７４を有し、磁気ディスク装置Ｘ４による情報記録および情報再生の実行時には、磁気ディスク１０の記録膜１２に対向して配置される。スライダボディ７１は、回転動作中の磁気ディスク１０において記録再生ヘッド７０に対向する箇所の線速度が所定以上であるときに、磁気ディスク１０と記録再生ヘッド７０との間に気体潤滑膜を生じさせるための所定の形状を有する。発熱素子７２Ａ，７２Ｂは、各々、熱アシスト磁気記録方式における媒体加熱手段であり、通電により発熱可能な抵抗体である。発熱素子７２Ａ，７２Ｂの発熱温度は、図外の制御部により制御可能である。発熱素子７２Ａ，７２Ｂは、スライダボディ７１における媒体対向面に配設されている。記録素子７３は、記録膜１２に対して所定の記録磁界を印加するためのものであり、再生素子７４は、記録膜１２の磁化状態に由来する磁気信号を検知して電気信号に変換するためのものである。記録素子７３および再生素子７４の具体的構成は、第１の実施形態における記録素子２２および再生素子２３の具体的構成と同様である。発熱素子７２Ａ，７２Ｂ、記録素子７３、および再生素子７４は、磁気ディスク１０の回転方向ないし周方向に相当する方向に例えば図１０に示すように沿って一列に配されている。図１０は、記録再生ヘッド７０における磁気ディスク１０の側の平面図である。このような記録再生ヘッド７０は、例えば板バネ状の図外のサスペンションアームを介して、例えばボイスコイルモータにより構成される図外の記録再生ヘッド用アクチュエータに連結されている。サスペンションアームは、記録再生ヘッド７０に対し、磁気ディスク１０に向けて付勢力を作用させるためのものである。
【００４９】
本発明の第４の実施形態に係る熱アシスト磁気記録方法により、磁気ディスク装置Ｘ４にて磁気ディスク１０に対して情報記録を実行する際には、磁気ディスク１０を所定の一定速度で回転させた状態で、磁気ディスク１０に対して記録再生ヘッド７０を浮上配置させつつ記録再生ヘッド用アクチュエータにより記録再生ヘッド７０を情報記録実行位置に位置決め制御する。回転する磁気ディスク１０に対する記録再生ヘッド７０の相対移動方向を矢印Ｄで表す。
【００５０】
本熱アシスト磁気記録方法においては、記録再生ヘッド７０の発熱素子７２Ａ，７２Ｂを記録膜１２に対向させた状態で当該発熱素子７２Ａ，７２Ｂを個別に所定の温度で発熱させ続ける。本実施形態では、発熱素子７２Ａ，７２Ｂは、図１０に示すように矢印Ｄ方向（実質的にディスク周方向またはトラック延び方向）に並んで配置され、発熱素子７２Ａ，７２Ｂによる加熱によって、記録膜１２の所定箇所には、例えば図１１のグラフに示すような温度分布を有する二つの加熱スポットＳ４，Ｓ５が形成される。図１１のグラフでは、横軸は磁気ディスク１０の周方向の位置を表し、縦軸は温度を表す。また、図１１のグラフでは、仮に発熱素子７２Ｂが発熱せず従って加熱スポットＳ５が形成されないとする場合に記録膜１２に形成される加熱スポットＳ４の温度分布を一点鎖線で表し、仮に発熱素子７２Ａが発熱せず従って加熱スポットＳ４が形成されないとする場合に記録膜１２に形成される加熱スポットＳ５の温度分布を二点鎖線で表し、これら加熱スポットＳ４，Ｓ５からなる昇温領域Ｓ６の温度分布を実線で表す。
【００５１】
本熱アシスト磁気記録方法においては、記録膜１２の上述のような局所的昇温とともに、記録再生ヘッド７０に搭載されている記録素子７３により、記録膜１２における昇温領域Ｓ６に対して記録磁界Ｍを印加する。また、記録素子７３の生ずる記録磁界Ｍの向きを順次反転させることにより、記録膜１２において、磁化方向が順次反転する複数の磁区（記録マーク）を磁気ディスク１０の周方向ないしトラック延び方向に連ねて形成する。このとき、記録磁界Ｍの方向を反転させるタイミングを制御することにより、各々に所定の長さで記録マークを形成する。
【００５２】
本熱アシスト磁気記録方法においては、以上のようにして、磁気ディスク１０の有する記録膜１２において局所的に昇温して移動する昇温領域Ｓ６を形成しつつ当該昇温領域Ｓ６に記録磁界Ｍを印加することにより、情報記録を実行する。
【００５３】
本熱アシスト磁気記録方法においては、連なる加熱スポットＳ４，Ｓ５からなる昇温領域Ｓ６は、矢印Ｄ方向（昇温領域移動方向）に延びた形状、即ちトラック延び方向に長い形状を、有する。一方、上述のように、熱アシスト磁気記録における記録マーク形成予定箇所の最高到達温度は、所定の微小時間あたりに当該箇所に供給される昇温エネルギの総量に主に依存して決定される。移動方向に延びた形状の昇温領域Ｓ６が形成される本方法によると、記録膜１２において記録マークを形成すべき箇所に対して充分量の昇温エネルギを供給しつつ、トラック横断方向における熱の広がりを抑制することが可能なのである。このような熱アシスト磁気記録方法は、クロスライト現象の発生を防止または抑制してトラックの狭ピッチ化ないし高記録密度化を図るうえで、好適である。
【００５４】
本熱アシスト磁気記録方法では、昇温領域Ｓ６の移動の速さに応じて、加熱スポットＳ４，Ｓ５におけるピーク温度Ｐ4，Ｐ5を調整してもよい。本熱アシスト磁気記録方法では、記録膜１２において情報記録が実行される箇所のディスク径方向位置に関わらずディスク回転速度を一定とし且つ照射レーザビームＬのパワーを一定とする場合には、記録実行中のトラックが内周側であるほど、昇温領域Ｓ６の移動は遅い。この場合には、記録実行中のトラックが内周側であるほど（従って、昇温領域Ｓ６の移動が遅いほど）、両加熱スポットＳ４，Ｓ５のピーク温度Ｐ4，Ｐ5が低くなり、且つ、移動方向最前方の加熱スポットＳ４のピーク温度Ｐ4に対する他の加熱スポットＳ５のピーク温度Ｐ5の比が小さくなるように、発熱素子７２Ａ，７２Ｂの発熱温度を制御するのがよい。ピーク温度Ｐ4，Ｐ5の変化の一例を図１１にて下向き矢印で示す。昇温領域Ｓ６を構成する加熱スポットＳ４，Ｓ５のピーク温度Ｐ4，Ｐ5についてのこのような調整により、記録実行中のトラックのディスク径方向位置に関わらず、単位時間あたりにトラックに供給される昇温エネルギ量を均一化することが可能となる。
【００５５】
図１２は、本発明の第５の実施形態に係る熱アシスト磁気記録方法を実施するための磁気ディスク装置Ｘ５の一部の構成を表す。磁気ディスク装置Ｘ５は、磁気ディスク１０、磁気ヘッド８０、光学ヘッド９０、複合素子４１、および回折格子４２を備え、熱アシスト磁気記録方式での情報記録と情報再生とを磁気ディスク１０について実行することができるように構成されている。
【００５６】
磁気ディスク１０は、ディスク基板１１、記録膜１２、および保護膜１３を含む積層構造を有し、熱アシスト磁気記録方式の磁気記録媒体として構成されたものである。磁気ディスク１０の具体的構成は、第１の実施形態において上述したのと同一である。
【００５７】
磁気ヘッド８０は、スライダボディ８１、記録素子８２、および再生素子８３を有し、磁気ディスク装置Ｘ５による情報記録および情報再生の実行時には、磁気ディスク１０の記録膜１２に対向して配置される。スライダボディ８１、記録素子８２、および再生素子８３の具体的構成は、第１の実施形態におけるスライダボディ２１、記録素子２２、および再生素子２３の具体的構成と同様である。このような磁気ヘッド８０は、例えば板バネ状の図外のサスペンションアームを介して、例えばボイスコイルモータにより構成される図外の磁気ヘッド用アクチュエータに連結されている。サスペンションアームは、磁気ヘッド８０に対し、磁気ディスク１０に向けて付勢力を作用させるためのものである。
【００５８】
光学ヘッド９０は、集光レンズ９１、レンズアクチュエータ９２、マスク９３、およびミラー９４を有し、複数本（本実施形態では二本）のレーザビームＬを磁気ディスク１０に向けて出射可能に構成されたものである。図の簡潔化の観点より、本実施形態におけるレーザビームＬについては、その断面中心軸を一点鎖線で模式的に表す。光学ヘッド９０の内部には、図外の光源（例えば半導体レーザダイオード）からのレーザビームＬが通過可能な導光路が確保されている。集光レンズ９１、レンズアクチュエータ９２、マスク９３、およびミラー９４の具体的構成は、第１の実施形態における集光レンズ３１、レンズアクチュエータ３２、マスク３３、およびミラー３４の具体的構成と同様である。このような光学ヘッド９０は、図外の光学ヘッド用アクチュエータにより、磁気ディスク１０の径方向に延びる図外のガイドレールに沿って並進駆動可能に設けられている。
【００５９】
複合素子４１は、複数の屈折率の異なるプリズムなどからなり、図外の光源から出射されて図外のコリメートレンズを通過したレーザビームＬの横断面形状を、複合素子４１に対するレーザビームＬの入射角を傾けることにより例えば真円形に整形するためのものであり、また、偏光ビームスプリッタとして、レーザビームＬを分離するためのものである。分離されたレーザビームＬの一方は、上述の光学ヘッド９０へと導かれ、他方は、レーザビームＬの光の強度を監視してフィードバッグ制御するために設けられる図外の受光部へと導かれる。
【００６０】
回折格子４２は、単一の光源からの一本のレーザビームＬを二本に分離するためのものであり、所定のアクチュエータによる回折格子４２の配置や回転角度（姿勢）の微調整によってレーザビームＬの分離の態様を制御できるように構成されている。
【００６１】
本発明の第５の実施形態に係る熱アシスト磁気記録方法により、磁気ディスク装置Ｘ５にて磁気ディスク１０に対して情報記録を実行する際には、磁気ディスク１０を所定の一定速度で回転させた状態で、磁気ディスク１０に対して磁気ヘッド８０を浮上配置させつつ磁気ヘッド用アクチュエータにより磁気ヘッド８０を情報記録実行位置に位置決め制御し、且つ、光学ヘッド用アクチュエータにより光学ヘッド９０を情報記録実行位置に位置決め制御する。回転動作中の磁気ディスク１０に対する磁気ヘッド８０および光学ヘッド９０の相対移動方向を矢印Ｄで表す。
【００６２】
本熱アシスト磁気記録方法においては、光学ヘッド９０の集光レンズ９１を通過して集束された二本のレーザビームＬを磁気ディスク１０の記録膜１２に向けて照射し続ける。本実施形態では、二本のレーザビームＬは、磁気ディスク１０ないし保護膜１３の表面にて重なり合い、図１３（ａ）に示すように、保護膜１３上にて矢印Ｄ方向（実質的にディスク周方向またはトラック延び方向）に連なる２つの照射スポットＳ７’，Ｓ８’を形成する。これら照射スポットＳ７’，Ｓ８’に対応して、記録膜１２の所定箇所には、例えば図１３（ｂ）のグラフに示すような温度分布を有する二つの加熱スポットＳ７，Ｓ８が形成される。図１３（ｂ）のグラフでは、横軸は磁気ディスク１０の周方向の位置を表し、縦軸は温度を表す。また、図１３（ｂ）のグラフでは、仮に照射スポットＳ８’したがって加熱スポットＳ８が形成されないとする場合に記録膜１２に形成される加熱スポットＳ７の温度分布を一点鎖線で表し、仮に照射スポットＳ７’したがって加熱スポットＳ７が形成されないとする場合に記録膜１２に形成される加熱スポットＳ８の温度分布を二点鎖線で表し、これら加熱スポットＳ７，Ｓ８からなる昇温領域Ｓ９の温度分布を実線で表す。
【００６３】
本熱アシスト磁気記録方法においては、記録膜１２の上述のような局所的昇温とともに、磁気ヘッド８０に搭載されている記録素子８２により、記録膜１２における昇温領域Ｓ９に対して記録磁界Ｍを印加する。また、記録素子８２の生ずる記録磁界Ｍの向きを順次反転させることにより、記録膜１２において、磁化方向が順次反転する複数の磁区（記録マーク）を磁気ディスク１０の周方向ないしトラック延び方向に連ねて形成する。このとき、記録磁界Ｍの方向を反転させるタイミングを制御することにより、各々に所定の長さで記録マークを形成する。
【００６４】
本熱アシスト磁気記録方法においては、以上のようにして、磁気ディスク１０の有する記録膜１２において局所的に昇温して移動する昇温領域Ｓ９を形成しつつ当該昇温領域Ｓ９に記録磁界Ｍを印加することにより、情報記録を実行する。
【００６５】
本熱アシスト磁気記録方法においては、連なる２つの加熱スポットＳ７，Ｓ８からなる昇温領域Ｓ９は、矢印Ｄ方向（昇温領域移動方向）に延びた形状、即ちトラック延び方向に長い形状を、有する。一方、上述のように、熱アシスト磁気記録の記録膜における記録マーク形成予定箇所の最高到達温度は、所定の微小時間あたりに当該箇所に供給される昇温エネルギの総量に主に依存して決定される。移動方向に延びた形状の昇温領域Ｓ９が形成される本方法によると、記録膜１２において記録マークを形成すべき箇所に対して充分量の昇温エネルギを供給しつつ、トラック横断方向における熱の広がりを抑制することが可能なのである。このような熱アシスト磁気記録方法は、クロスライト現象の発生を防止または抑制してトラックの狭ピッチ化ないし高記録密度化を図るうえで、好適である。
【００６６】
本熱アシスト磁気記録方法では、昇温領域Ｓ９の移動の速さに応じて、加熱スポットＳ７，Ｓ８におけるピーク温度Ｐ7，Ｐ8を調整してもよい。本熱アシスト磁気記録方法では、記録膜１２において情報記録が実行される箇所のディスク径方向位置に関わらずディスク回転速度を一定とし且つ照射レーザビームＬのパワーを一定とする場合には、記録実行中のトラックが内周側であるほど、昇温領域Ｓ９の移動は遅い。この場合には、記録実行中のトラックが内周側であるほど（従って、昇温領域Ｓ９の移動が遅いほど）、両加熱スポットＳ７，Ｓ８のピーク温度Ｐ7，Ｐ8が低くなるように、両レーザビームＬのパワーを制御するのがよい。ピーク温度Ｐ7，Ｐ8の変化の一例を図１３（ｂ）にて下向き矢印で示す。昇温領域Ｓ９を構成する加熱スポットＳ７，Ｓ８のピーク温度Ｐ7，Ｐ8についてのこのような調整により、記録実行中のトラックのディスク径方向位置に関わらず、単位時間あたりにトラックに供給される昇温エネルギ量を均一化することが可能となる。
【００６７】
ピーク温度Ｐ7，Ｐ8についての上述のような調整に代えて又は加えて、本熱アシスト磁気記録方法では、昇温領域Ｓ９の移動の速さに応じて、加熱スポットＳ７，Ｓ８のピーク温度位置ｘ7，ｘ8の間隔を調節してもよい。本熱アシスト磁気記録方法では、記録膜１２において情報記録が実行される箇所のディスク径方向位置に関わらずディスク回転速度を一定とし且つ照射レーザビームＬのパワーを一定とする場合には、上述のように、記録実行中のトラックが内周側であるほど、昇温領域Ｓ９の移動は遅い。この場合には、記録実行中のトラックが内周側であるほど（従って、昇温領域Ｓ９の移動が遅いほど）、両加熱スポットＳ７，Ｓ８のピーク温度位置ｘ7，ｘ8の間隔が広くなるように、上述の回折格子４２の配置や回転角度を制御するのがよい。ピーク温度位置ｘ7，ｘ8の変化の一例を図１３（ｂ）にて横向き矢印で示す。昇温領域Ｓ９を構成する加熱スポットＳ７，Ｓ８のピーク温度位置ｘ7，ｘ8の間隔についてのこのような調節は、記録実行中のトラックのディスク径方向位置に関わらず、単位時間あたりにトラックに供給される昇温エネルギ量を均一化するうえで、好適である。
【図面の簡単な説明】
【００６８】
【図１】本発明の第１の実施形態に係る熱アシスト磁気記録方法を実施するための磁気ディスク装置の一部の構成を表す。
【図２】第１の実施形態におけるレーザビームの横断面形状を表す。
【図３】第１の実施形態に係る熱アシスト磁気記録方法において記録膜に生ずる温度分布の一例を表す。
【図４】第１の実施形態において採用され得るレーザビーム整形用のマスクの平面図である。
【図５】本発明の第２の実施形態に係る熱アシスト磁気記録方法を実施するための磁気ディスク装置の一部の構成を表す。
【図６】図５に示す磁気ディスク装置における記録再生ヘッドの磁気ディスク側の平面図である。
【図７】本発明の第３の実施形態に係る熱アシスト磁気記録方法を実施するための磁気ディスク装置の一部の構成を表す。
【図８】（ａ）は、第３の実施形態に係る熱アシスト磁気記録方法において保護膜上に形成される二つの照射スポットを表す平面図である。（ｂ）は、第３の実施形態に係る熱アシスト磁気記録方法において記録膜に生ずる温度分布の一例を表す。
【図９】本発明の第４の実施形態に係る熱アシスト磁気記録方法を実施するための磁気ディスク装置の一部の構成を表す。
【図１０】図９に示す磁気ディスク装置における記録再生ヘッドの磁気ディスク側の平面図である。
【図１１】第４の実施形態に係る熱アシスト磁気記録方法において記録膜に生ずる温度分布の一例を表す。
【図１２】本発明の第５の実施形態に係る熱アシスト磁気記録方法を実施するための磁気ディスク装置の一部の構成を表す。
【図１３】（ａ）は、第５の実施形態に係る熱アシスト磁気記録方法において保護膜上に形成される二つの照射スポットを表す平面図である。（ｂ）は、第５の実施形態に係る熱アシスト磁気記録方法において記録膜に生ずる温度分布の一例を表す。
【符号の説明】
【００６９】
Ｘ１，Ｘ２，Ｘ３，Ｘ４，Ｘ５      磁気ディスク装置
１０      磁気ディスク
１２      記録膜
２０，８０      磁気ヘッド
２２，５３，６３，７３      記録素子
２３，５４，６４，７４      再生素子
３０，９０      光学ヘッド
３１，９１      集光レンズ
３３，９３      マスク
３４，９４      ミラー
４０，４１      複合素子
４２      回折格子
５０，６０，７０      記録再生ヘッド
５２，７２Ａ，７２Ｂ      発熱素子
６２Ａ，６２Ｂ      レーザ素子
Ｌ      レーザビーム
Ｍ      記録磁界
Ｓ１’，Ｓ２’，Ｓ７’，Ｓ８’      照射スポット
Ｓ１，Ｓ２，Ｓ４，Ｓ５，Ｓ７，Ｓ８      加熱スポット
Ｓ３，Ｓ６，Ｓ９      昇温領域
【図１】
2006277895.tif 000003
【図２】
2006277895.tif 000004
【図３】
2006277895.tif 000005
【図４】
2006277895.tif 000006
【図５】
2006277895.tif 000007
【図６】
2006277895.tif 000008
【図７】
2006277895.tif 000009
【図８】
2006277895.tif 000010
【図９】
2006277895.tif 000011
【図１０】
2006277895.tif 000012
【図１１】
2006277895.tif 000013
【図１２】
2006277895.tif 000014
【図１３】
2006277895.tif 000015